(57)【特許請求の範囲】
【請求項１】
情報処理装置から送信される再生可能なコンテンツリストの要求、およびコンテンツの再生要求を受信する第１の受信部と、
前記第１の受信部が受信したコンテンツリストの要求に付加されている所定の情報を確認する確認部と、
前記所定の情報としての前記情報処理装置の機器情報の入力を受け付け、前記受け付けた前記機器情報に対する、任意のコンテンツの送信を可能とするための送信可設定情報、および任意のコンテンツの送信を不可能とするための送信不可設定情報の設定入力を受け付ける第５の入力部と、
前記確認部による確認結果、前記確認部によって確認された前記機器情報に対して設定されている前記送信可設定情報、および前記送信不可設定情報ならびに前記コンテンツに視聴制限情報が付加されているか否かに基づいて、前記情報処理装置に送信するためのコンテンツリストを生成する生成部と、
前記生成部が生成したコンテンツリストを前記情報処理装置に送信する第１の送信部と、
を備える、コンテンツ再生装置と、
前記コンテンツ再生装置に、前記機器情報が付加された、再生可能なコンテンツリストの要求、およびコンテンツの再生要求を送信する第２の送信部と、
前記コンテンツ再生装置から送信されるコンテンツリストを受信する第２の受信部と、
前記第２の受信部が受信したコンテンツリストを表示する表示部と、
を備える、前記情報処理装置と、
を備える、コンテンツ再生システム。
【請求項２】
前記コンテンツ再生装置は、
前記所定の情報としての暗証番号情報の設定入力を受け付ける第１の入力部を備え、
前記情報処理装置は、
前記所定の情報としての暗証番号情報の入力を受け付ける第２の入力部を備え、
前記第２の送信部は、前記第２の入力部により暗証番号情報の入力を受け付けた場合は、前記コンテンツ再生装置に、前記暗証番号情報が付加された、再生可能なコンテンツリストの要求、およびコンテンツの再生要求を送信する、請求項１に記載のコンテンツ再生システム。
【請求項３】
前記生成部は、前記確認部によって前記暗証番号情報の照合が取れた場合には、視聴制限情報が付加された視聴制限コンテンツを含んだコンテンツリストを生成し、前記確認部によって前記暗証番号情報の照合が取れなかった場合には、前記視聴制限コンテンツを除いたコンテンツリストを生成する、請求項２に記載のコンテンツ再生システム。
【請求項４】
前記表示部は、前記視聴制限コンテンツを含んだコンテンツリストの表示を行う場合には、前記視聴制限コンテンツを明示するための表示を行う、請求項３に記載のコンテンツ再生システム。
【請求項５】
前記情報処理装置は、
前記所定の情報としての全ての再生可能なコンテンツを含んだコンテンツリストの表示を可能とする表示可設定情報、または全ての再生可能なコンテンツを含んだコンテンツリストの表示を不可能とする表示不可設定情報の入力を受け付ける第３の入力部を備え、
前記第２の送信部は、前記コンテンツ再生装置に、前記表示可設定情報または前記表示不可設定情報が付加された、再生可能なコンテンツリストの要求、およびコンテンツの再生要求を送信する、請求項１に記載のコンテンツ再生システム。
【請求項６】
前記生成部は、前記確認部によって前記表示可設定情報が確認された場合には、視聴制限情報が付加された視聴制限コンテンツを含んだコンテンツリストを生成し、前記確認部によって前記表示不可設定情報が確認された場合には、前記視聴制限コンテンツを除いたコンテンツリストを生成する、請求項５に記載のコンテンツ再生システム。
【請求項７】
前記コンテンツ再生装置は、
前記所定の情報としての前記情報処理装置の機器情報の入力を受け付ける第４の入力部を備え、
前記第４の入力部は、前記受け付けた機器情報に対する、全ての再生可能なコンテンツを含んだコンテンツリストの表示を可能とする表示可設定情報、または全ての再生可能なコンテンツを含んだコンテンツリストの表示を不可能とする表示不可設定情報の設定入力を受け付け、
前記第２の送信部は、前記コンテンツ再生装置に、前記機器情報が付加された、再生可能なコンテンツリストの要求、およびコンテンツの再生要求を送信する、請求項１に記載のコンテンツ再生システム。
【請求項８】
前記生成部は、前記確認部によって前記表示可設定情報が設定された前記機器情報が確認された場合には、視聴制限情報が付加された視聴制限コンテンツを含んだコンテンツリストを生成し、前記確認部によって前記表示不可設定情報が設定された前記機器情報が確認された場合には、前記視聴制限コンテンツを除いたコンテンツリストを生成する、請求項７に記載のコンテンツ再生システム。
【請求項９】
情報処理装置から送信される再生可能なコンテンツリストの要求、およびコンテンツの再生要求を受信する第３の受信部と、
前記第３の受信部が受信したコンテンツリストの要求に付加されている所定の情報に基づいて、前記情報処理装置のユーザの年齢を算出する算出部と、
前記所定の情報を確認する確認部と、
前記所定の情報としての前記情報処理装置の機器情報の入力を受け付け、前記受け付けた前記機器情報に対する、任意のコンテンツの送信を可能とするための送信可設定情報、および任意のコンテンツの送信を不可能とするための送信不可設定情報の設定入力を受け付ける第５の入力部と、
前記算出部による算出結果、前記確認部によって確認された前記機器情報に対して設定されている前記送信可設定情報、および前記送信不可設定情報ならびに前記コンテンツに視聴制限情報が付加されているか否かに基づいて、前記情報処理装置に送信するためのコンテンツリストを生成する生成部と、
前記生成部が生成したコンテンツリストを前記情報処理装置に送信する第３の送信部と、
を備える、コンテンツ再生装置と、
前記コンテンツ再生装置に、前記機器情報が付加された、再生可能なコンテンツリストの要求、およびコンテンツの再生要求を送信する第４の送信部と、
前記コンテンツ再生装置から送信されるコンテンツリストを受信する第４の受信部と、
前記第４の受信部が受信したコンテンツリストを表示する表示部と、
を備える、前記情報処理装置と、
を備える、コンテンツ再生システム。
【請求項１０】
前記情報処理装置は、
前記所定の情報としての前記情報処理装置のユーザの生年月日情報の設定入力を受け付ける第６の入力部を備え、
前記第４の送信部は、前記コンテンツ再生装置に、前記生年月日情報が付加された、再生可能なコンテンツリストの要求、およびコンテンツの再生要求を送信する、請求項９に記載のコンテンツ再生システム。
【請求項１１】
前記生成部は、前記算出部による前記情報処理装置のユーザの年齢の算出の結果、前記情報処理装置のユーザが視聴制限情報が付加された視聴制限コンテンツの視聴制限の対象となる年齢のユーザである場合には、前記視聴制限コンテンツを除いたコンテンツリストを生成し、前記情報処理装置のユーザが前記視聴制限コンテンツのうち、特定の視聴制限コンテンツの視聴制限の対象とならない年齢のユーザである場合には、前記視聴制限コンテンツのうちの前記特定の視聴制限コンテンツのみを含んだコンテンツリストを生成する、請求項１０に記載のコンテンツ再生システム。
【請求項１２】
前記コンテンツ再生装置は、
前記所定の情報としての前記情報処理装置の機器情報の入力を受け付ける第７の入力部を備え、
前記第７の入力部は、前記受け付けた機器情報に対する、前記情報処理装置のユーザの生年月日情報の設定入力を受け付け、
前記第４の送信部は、前記コンテンツ再生装置に、前記生年月日情報が付加された、再生可能なコンテンツリストの要求、およびコンテンツの再生要求を送信する、請求項９に記載のコンテンツ再生システム。
【請求項１３】
前記生成部は、前記算出部による前記情報処理装置のユーザの年齢の算出の結果、前記情報処理装置のユーザが視聴制限情報が付加された視聴制限コンテンツの視聴制限の対象となる年齢のユーザである場合には、前記視聴制限コンテンツを除いたコンテンツリストを生成し、前記情報処理装置のユーザが前記視聴制限コンテンツのうち、特定の視聴制限コンテンツの視聴制限の対象とならない年齢のユーザである場合には、前記視聴制限コンテンツのうちの前記特定の視聴制限コンテンツのみを含んだコンテンツリストを生成する、請求項１２に記載のコンテンツ再生システム。
【請求項１４】
コンテンツ再生装置により情報処理装置から送信される、前記情報処理装置の機器情報が付加された、再生可能なコンテンツリストの要求を受信するステップと、
前記コンテンツ再生装置により前記受信したコンテンツリストの要求に付加されている所定の情報を確認するステップと、
前記所定の情報としての前記機器情報の入力を受け付け、前記受け付けた前記機器情報に対する、任意のコンテンツの送信を可能とするための送信可設定情報、および任意のコンテンツの送信を不可能とするための送信不可設定情報の設定入力を受け付けるステップと、
前記コンテンツ再生装置により前記所定の情報の確認結果、前記機器情報に対して設定されている前記送信可設定情報、および前記送信不可設定情報ならびに前記コンテンツに視聴制限情報が付加されているか否かに基づいて、前記情報処理装置に送信するためのコンテンツリストを生成するステップと、
前記コンテンツ再生装置により前記生成されたコンテンツリストを前記情報処理装置に送信するステップと、
前記情報処理装置により前記コンテンツ再生装置から送信されるコンテンツリストを受信するステップと、
前記情報処理装置により前記受信したコンテンツリストを表示するステップと、
前記情報処理装置により前記表示されたコンテンツリスト内のコンテンツの、前記機器情報が付加された、再生要求を前記コンテンツ再生装置に送信するステップと、
を有する、コンテンツ再生方法。
【請求項１５】
コンテンツ再生装置により情報処理装置から送信される、前記情報処理装置の機器情報が付加された、再生可能なコンテンツリストの要求を受信するステップと、
前記コンテンツ再生装置により前記受信したコンテンツリストの要求に付加されている所定の情報に基づいて、前記情報処理装置のユーザの年齢を算出するステップと、
前記所定の情報としての前記機器情報の入力を受け付け、前記受け付けた前記機器情報に対する、任意のコンテンツの送信を可能とするための送信可設定情報、および任意のコンテンツの送信を不可能とするための送信不可設定情報の設定入力を受け付けるステップと、
前記コンテンツ再生装置により前記情報処理装置のユーザの年齢の算出結果、前記機器情報に対して設定されている前記送信可設定情報、および前記送信不可設定情報ならびに前記コンテンツに視聴制限情報が付加されているか否かに基づいて、前記情報処理装置に送信するためのコンテンツリストを生成するステップと、
前記コンテンツ再生装置により前記生成されたコンテンツリストを前記情報処理装置に送信するステップと、
前記情報処理装置により前記コンテンツ再生装置から送信されるコンテンツリストを受信するステップと、
前記情報処理装置により前記受信したコンテンツリストを表示するステップと、
前記情報処理装置により前記表示されたコンテンツリスト内のコンテンツの、前記機器情報が付加された、再生要求を前記コンテンツ再生装置に送信するステップと、
を有する、コンテンツ再生方法。
【発明の詳細な説明】
【技術分野】
【０００１】
本発明は、コンテンツ再生システム、およびコンテンツ再生方法に関する。
【背景技術】
【０００２】
近年、放送番組やＤＶＤなどのコンテンツを再生するコンテンツ再生装置には、例えば子供が自由に成人向けの番組等を見れないようにするために、ペアレンタルロックと称される、親が子供の視聴できるコンテンツを制限する視聴制限機能が搭載されている（例えば、特許文献１〜５参照。）。
【０００３】
例えば、親が子供に見せたくない可能性の高い成人向けの番組等に、放送事業者等により視聴制限情報が付加される。そして、コンテンツ再生装置は、上述したペアレンタルロック機能が有効化されている場合は、再生可能なコンテンツリストの表示において、視聴制限情報が付加されたコンテンツ（以下、「視聴制限コンテンツ」という。）の表示を行わず、視聴制限コンテンツの再生が指示されないようにしている。また、コンテンツ再生装置は、視聴制限コンテンツの表示が指示された場合は、予め管理者、例えば親により設定された暗証番号の入力を要求して、暗証番号の照合が取れた場合においてのみ、視聴制限コンテンツの表示を行うようにして、視聴制限コンテンツの再生を制限している。
【先行技術文献】
【特許文献】
【０００４】
【特許文献１】特開平９−３７１６８号公報
【特許文献２】特開２０００−１７５１１７号公報
【特許文献３】特開２００２−３３５４８８号公報
【特許文献４】特開２００５−３４０９７２号公報
【特許文献５】特開２００８−７７４４２号公報
【発明の概要】
【発明が解決しようとする課題】
【０００５】
ところで、上述したコンテンツ再生装置において、ペアレンタルロックの機能は、例えば子供に成人向けの番組等を常に見せないようにするために、常に有効化されるのが好ましい。このため、視聴制限コンテンツの視聴制限の対象とならないユーザ、例えば親は、視聴制限コンテンツの再生を指示したい場合には、その都度、上述した暗証番号の入力を行って、ペアレンタルロックの機能を無効化する必要があり、再生した後には、再度ペアレンタルロックの機能を有効化するために、再度上述した暗証番号の入力を行わなくてはならず、親にとってはそれらの作業を行うのは煩わしいという問題があった。
【０００６】
したがって、上述したコンテンツ再生装置では、ペアレンタルロックの機能が有効化されている場合において、コンテンツの再生におけるユーザの操作性を向上させることができないという問題があった。
【０００７】
そこで、本発明は、上記問題に鑑みてなされたものであり、本発明の目的とするところは、視聴制限機能が有効化されている場合において、コンテンツの再生におけるユーザの操作性を向上させることが可能な、新規かつ改良されたコンテンツ再生システム、およびコンテンツ再生方法を提供することにある。
【課題を解決するための手段】
【０００８】
上記課題を解決するために、本発明のある観点によれば、情報処理装置から送信される再生可能なコンテンツリストの要求、およびコンテンツの再生要求を受信する第１の受信部と、前記第１の受信部が受信したコンテンツリストの要求に付加されている所定の情報を確認する確認部と、前記確認部による確認結果に基づいて、前記情報処理装置に送信するためのコンテンツリストを生成する生成部と、前記生成部が生成したコンテンツリストを前記情報処理装置に送信する第１の送信部とを備える、コンテンツ再生装置と、前記コンテンツ再生装置に再生可能なコンテンツリストの要求、およびコンテンツの再生要求を送信する第２の送信部と、前記コンテンツ再生装置から送信されるコンテンツリストを受信する第２の受信部と、前記受信部が受信したコンテンツリストを表示する表示部とを備える、情報処理装置とを備えるコンテンツ再生システムが提供される。
【０００９】
前記コンテンツ再生装置は、前記所定の情報としての暗証番号情報の設定入力を受け付ける第１の入力部を備え、前記情報処理装置は、前記所定の情報としての暗証番号情報の入力を受け付ける第２の入力部を備え、前記第２の送信部は、前記第２の入力部により暗証番号情報の入力を受け付けた場合は、前記コンテンツ再生装置に、前記暗証番号情報が付加された、再生可能なコンテンツリストの要求、およびコンテンツの再生要求を送信してもよい。
【００１０】
前記生成部は、前記確認部によって前記暗証番号情報の照合が取れた場合には、視聴制限情報が付加された視聴制限コンテンツを含んだコンテンツリストを生成し、前記確認部によって前記暗証番号情報の照合が取れなかった場合には、前記視聴制限コンテンツを除いたコンテンツリストを生成してもよい。
【００１１】
前記表示部は、前記視聴制限コンテンツを含んだコンテンツリストの表示を行う場合には、前記視聴制限コンテンツを明示するための表示を行ってもよい。
【００１２】
前記情報処理装置は、前記所定の情報としての全ての再生可能なコンテンツを含んだコンテンツリストの表示を可能とする表示可設定情報、または全ての再生可能なコンテンツを含んだコンテンツリストの表示を不可能とする表示不可設定情報の入力を受け付ける第３の入力部を備え、前記第２の送信部は、前記コンテンツ再生装置に、前記表示可設定情報または前記表示不可設定情報が付加された、再生可能なコンテンツリストの要求、およびコンテンツの再生要求を送信してもよい。
【００１３】
前記生成部は、前記確認部によって前記表示可設定情報が確認された場合には、視聴制限情報が付加された視聴制限コンテンツを含んだコンテンツリストを生成し、前記確認部によって前記表示不可設定情報が確認された場合には、前記視聴制限コンテンツを除いたコンテンツリストを生成してもよい。
【００１４】
前記コンテンツ再生装置は、前記所定の情報としての前記情報処理装置の機器情報の入力を受け付ける第４の入力部を備え、前記第４の入力部は、前記受け付けた機器情報に対する、全ての再生可能なコンテンツを含んだコンテンツリストの表示を可能とする表示可設定情報、または全ての再生可能なコンテンツを含んだコンテンツリストの表示を不可能とする表示不可設定情報の設定入力を受け付け、前記第２の送信部は、前記コンテンツ再生装置に、前記機器情報が付加された、再生可能なコンテンツリストの要求、およびコンテンツの再生要求を送信してもよい。
【００１５】
前記生成部は、前記確認部によって前記表示可設定情報が設定された前記機器情報が確認された場合には、視聴制限情報が付加された視聴制限コンテンツを含んだコンテンツリストを生成し、前記確認部によって前記表示不可設定情報が設定された前記機器情報が確認された場合には、前記視聴制限コンテンツを除いたコンテンツリストを生成してもよい。
【００１６】
前記コンテンツ再生装置は、前記所定の情報としての前記情報処理装置の機器情報の入力を受け付ける第５の入力部を備え、前記第５の入力部は、前記受け付けた機器情報に対する、任意のコンテンツの送信を可能とするための送信可設定情報、および任意のコンテンツの送信を不可能とするための送信不可設定情報の設定入力を受け付け、前記第２の送信部は、前記コンテンツ再生装置に、前記機器情報が付加された、再生可能なコンテンツリストの要求、およびコンテンツの再生要求を送信してもよい。
【００１７】
前記生成部は、前記確認部によって確認された前記機器情報に対して設定されている送信可設定情報、および送信不可設定情報に基づいて、前記情報処理装置に送信するためのコンテンツリストを生成してもよい。
【００１８】
また、上記課題を解決するために、本発明の別の観点によれば、情報処理装置から送信される再生可能なコンテンツリストの要求、およびコンテンツの再生要求を受信する第３の受信部と、前記第３の受信部が受信したコンテンツリストの要求に付加されている所定の情報に基づいて、前記情報処理装置のユーザの年齢を算出する算出部と、前記算出部による算出結果に基づいて、前記情報処理装置に送信するためのコンテンツリストを生成する生成部と、前記生成部が生成したコンテンツリストを前記情報処理装置に送信する第３の送信部とを備える、コンテンツ再生装置と、前記コンテンツ再生装置に再生可能なコンテンツリストの要求、およびコンテンツの再生要求を送信する第４の送信部と、前記コンテンツ再生装置から送信されるコンテンツリストを受信する第４の受信部と、前記受信部が受信したコンテンツリストを表示する表示部とを備える、情報処理装置とを備えるコンテンツ再生システムが提供される。
【００１９】
前記情報処理装置は、前記所定の情報としての前記情報処理装置のユーザの生年月日情報の設定入力を受け付ける第６の入力部を備え、前記第４の送信部は、前記コンテンツ再生装置に、前記生年月日情報が付加された、再生可能なコンテンツリストの要求、およびコンテンツの再生要求を送信してもよい。
【００２０】
前記生成部は、前記算出部による前記情報処理装置のユーザの年齢の算出の結果、前記情報処理装置のユーザが視聴制限情報が付加された視聴制限コンテンツの視聴制限の対象となる年齢のユーザである場合には、前記視聴制限コンテンツを除いたコンテンツリストを生成し、前記情報処理装置のユーザが前記視聴制限コンテンツのうち、特定の視聴制限コンテンツの視聴制限の対象とならない年齢のユーザである場合には、前記視聴制限コンテンツのうちの前記特定の視聴制限コンテンツのみを含んだコンテンツリストを生成してもよい。
【００２１】
前記コンテンツ再生装置は、前記所定の情報としての前記情報処理装置の機器情報の入力を受け付ける第７の入力部を備え、前記第７の入力部は、前記受け付けた機器情報に対する、前記情報処理装置のユーザの生年月日情報の設定入力を受け付け、前記第４の送信部は、前記コンテンツ再生装置に、前記生年月日情報が付加された、再生可能なコンテンツリストの要求、およびコンテンツの再生要求を送信してもよい。
【００２２】
前記生成部は、前記算出部による前記情報処理装置のユーザの年齢の算出の結果、前記情報処理装置のユーザが視聴制限情報が付加された視聴制限コンテンツの視聴制限の対象となる年齢のユーザである場合には、前記視聴制限コンテンツを除いたコンテンツリストを生成し、前記情報処理装置のユーザが前記視聴制限コンテンツのうち、特定の視聴制限コンテンツの視聴制限の対象とならない年齢のユーザである場合には、前記視聴制限コンテンツのうちの前記特定の視聴制限コンテンツのみを含んだコンテンツリストを生成してもよい。
【００２３】
また、上記課題を解決するために、本発明の別の観点によれば、コンテンツ再生装置により情報処理装置から送信される再生可能なコンテンツリストの要求を受信するステップと、前記コンテンツ再生装置により前記受信したコンテンツリストの要求に付加されている所定の情報を確認するステップと、前記コンテンツ再生装置により前記所定の情報の確認結果に基づいて、前記情報処理装置に送信するためのコンテンツリストを生成するステップと、前記コンテンツ再生装置により前記生成されたコンテンツリストを前記情報処理装置に送信するステップと、前記情報処理装置により前記コンテンツ再生装置から送信されるコンテンツリストを受信するステップと、前記情報処理装置により前記受信したコンテンツリストを表示するステップと、前記情報処理装置により前記表示されたコンテンツリスト内のコンテンツの再生要求を前記コンテンツ再生装置に送信するステップとを有するコンテンツ再生方法が提供される。
【００２４】
また、上記課題を解決するために、本発明の別の観点によれば、コンテンツ再生装置により情報処理装置から送信される再生可能なコンテンツリストの要求を受信するステップと、前記コンテンツ再生装置により前記受信したコンテンツリストの要求に付加されている所定の情報に基づいて、前記情報処理装置のユーザの年齢を算出するステップと、前記コンテンツ再生装置により前記情報処理装置のユーザの年齢の算出結果に基づいて、前記情報処理装置に送信するためのコンテンツリストを生成するステップと、前記コンテンツ再生装置により前記生成されたコンテンツリストを前記情報処理装置に送信するステップと、前記情報処理装置により前記コンテンツ再生装置から送信されるコンテンツリストを受信するステップと、前記情報処理装置により前記受信したコンテンツリストを表示するステップと、前記情報処理装置により前記表示されたコンテンツリスト内のコンテンツの再生要求を前記コンテンツ再生装置に送信するステップとを有するコンテンツ再生方法が提供される。
【発明の効果】
【００２５】
以上説明したように本発明によれば、視聴制限機能が有効化されている場合において、コンテンツの再生におけるユーザの操作性を向上させることができる。
【図面の簡単な説明】
【００２６】
【図１】本発明の第１の実施の形態に係るコンテンツ再生システムの構成を概略的に示す図である。
【図２】図１のコンテンツ再生システムにおけるコンテンツ再生装置および情報処理装置の構成を概略的に示すブロック図である。
【図３】図１のコンテンツ再生システムにおけるコンテンツ再生装置および情報処理装置が実行する第１のコンテンツ再生処理のシーケンス図である。
【図４】図１のコンテンツ再生システムにおけるコンテンツ再生装置および情報処理装置が実行する第２のコンテンツ再生処理のシーケンス図である。
【図５】図１のコンテンツ再生システムにおけるコンテンツ再生装置および情報処理装置が実行する第３のコンテンツ再生処理のシーケンス図である。
【図６】視聴制限コンテンツの視聴制限の対象となるユーザが所有する情報処理装置の表示部に表示されるコンテンツリストを説明するための説明図である。
【図７】視聴制限コンテンツの視聴制限の対象とならないユーザが所有する情報処理装置の表示部に表示されるコンテンツリストを説明するための説明図である。
【図８】本発明の第２の実施の形態に係るコンテンツ再生システムにおけるコンテンツ再生装置および情報処理装置の構成を概略的に示すブロック図である。
【図９】図８のコンテンツ再生システムにおけるコンテンツ再生装置および情報処理装置が実行する第１のコンテンツ再生処理のシーケンス図である。
【図１０】図８のコンテンツ再生システムにおけるコンテンツ再生装置および情報処理装置が実行する第２のコンテンツ再生処理のシーケンス図である。
【図１１】本発明の第３の実施の形態に係るコンテンツ再生システムにおけるコンテンツ再生装置および情報処理装置の構成を概略的に示すブロック図である。
【図１２】図１１のコンテンツ再生システムにおけるコンテンツ再生装置および情報処理装置が実行するコンテンツ再生処理のシーケンス図である。
【図１３】任意のコンテンツの送信を可能とするための送信可設定や送信を不可能とするための送信不可設定について説明するための説明図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
なお、説明は以下の順序で行うものとする。
１．コンテンツ再生システム（第１の実施の形態）
２．第１のコンテンツ再生処理（第１の実施の形態）
３．第２のコンテンツ再生処理（第１の実施の形態）
４．第３のコンテンツ再生処理（第１の実施の形態）
５．コンテンツ再生システム（第２の実施の形態）
６．第１のコンテンツ再生処理（第２の実施の形態）
７．第２のコンテンツ再生処理（第２の実施の形態）
８．コンテンツ再生システム（第３の実施の形態）
９．コンテンツ再生処理（第３の実施の形態）
【００２９】
［１．コンテンツ再生システム（第１の実施の形態）］
まず、本発明の第１の実施の形態に係るコンテンツ再生システムについて説明する。図１は、本発明の第１の実施の形態に係るコンテンツ再生システムの構成を概略的に示す図である。
【００３０】
図１において、コンテンツ再生システム１００は、放送番組やＤＶＤなどのコンテンツを再生するコンテンツ再生装置２００と、携帯電話などの情報処理装置３００，４００とを備える。コンテンツ再生装置２００には、例えば子供が自由に成人向けの番組等を見れないようにするために、ペアレンタルロックと称される、親が子供の視聴できるコンテンツを制限する視聴制限機能が搭載されている。本実施の形態では、情報処理装置３００は、放送事業者等により視聴制限情報が付加されたコンテンツ、例えば成人向けの番組（以下、「視聴制限コンテンツ」という。）の視聴制限の対象となるユーザ、例えば子供が所有する情報処理装置であり、情報処理装置４００は、視聴制限コンテンツの視聴制限の対象とならないユーザ、例えば親が所有する情報処理装置である。
【００３１】
コンテンツ再生装置２００は、放送局１０２から放送番組等のコンテンツを受信する。また、コンテンツ再生装置２００は、インターネット１０４を介して放送番組等のコンテンツを受信する。なお、放送局１０２から受信したコンテンツやインターネット１０４を介して受信したコンテンツのうち、例えば、親が子供に見せたくない可能性の高い成人向けの番組等のコンテンツには、放送事業者等により視聴制限情報が付加される。
【００３２】
情報処理装置３００，４００は、コンテンツ再生装置２００に再生可能なコンテンツのリスト（以下、単に「コンテンツリスト」という。）を要求することにより、コンテンツ再生装置２００からコンテンツリストを受信することができる。また、情報処理装置３００，４００は、受信したコンテンツリストの表示を行い、ユーザによりコンテンツリスト内のコンテンツの再生が指示されると、コンテンツ再生装置２００に当該コンテンツの再生を要求することができる。
【００３３】
図２は、図１のコンテンツ再生システム１００におけるコンテンツ再生装置２００および情報処理装置３００，４００の構成を概略的に示すブロック図である。
【００３４】
図２において、コンテンツ再生装置２００は、受信部２０２と、制御部２０４と、入力部２０６と、通信部２０８と、記憶部２１０と、出力部２１２とを備え、さらに、それらが接続されるバス２１４を備える。
【００３５】
受信部２０２は、放送局１０２から放送番組等のコンテンツを受信する。また、受信部２０２は、インターネット１０４を介して放送番組等のコンテンツを受信する。
【００３６】
制御部２０４は、コンテンツ再生装置２００の各部の制御を行う。また、制御部２０４は、確認部２１６と、生成部２１８と、再生部２２０とを備える。確認部２１６は、情報処理装置３００，４００から受信したコンテンツリストの要求やコンテンツの再生要求に後述する暗証番号情報が付加されている場合には、その暗証番号情報に基づいて、暗証番号の確認を行う。また、確認部２１６は、情報処理装置３００，４００から受信したコンテンツリストの要求やコンテンツの再生要求に後述する視聴制限コンテンツを含んだコンテンツリストの表示を可能とするための表示可設定や表示を不可能とするための表示不可設定の設定情報が付加されている場合には、その設定情報の確認を行う。また、確認部２１６は、情報処理装置３００，４００から受信したコンテンツリストの要求やコンテンツの再生要求に後述する機器情報が付加されている場合には、その機器情報の確認を行う。生成部２１８は、再生可能なコンテンツのうち視聴制限コンテンツを除いたコンテンツリストの生成や、再生可能なコンテンツのうち視聴制限コンテンツを含んだコンテンツリストの生成を行う。再生部２２０は、再生が指示されたコンテンツの再生を行う。
【００３７】
入力部２０６は、ユーザによる操作入力を受け付ける。例えば、入力部２０６は、ペアレンタルロック機能を有効化または無効化するための暗証番号の入力を受け付ける。
【００３８】
通信部２０８は、本発明の第１の受信部、第１の送信部の一例であり、情報処理装置３００，４００から送信されたコンテンツリストの要求やコンテンツの再生要求を受信する。また、通信部２０８は、生成部２１８により生成されたコンテンツリストを情報処理装置３００，４００に送信する。
【００３９】
記憶部２１０は、受信部２０２が受信した放送番組等のコンテンツの記録が指示されている場合は、当該コンテンツを記憶する。また、記憶部２１０は、視聴制限コンテンツを記憶する場合は、視聴制限コンテンツと視聴制限情報とを関連付けて記憶する。
【００４０】
出力部２１２は、再生部２２０により再生されたコンテンツを出力装置１０６に出力する。出力装置１０６は、入力されたコンテンツの画像出力や音声出力を行う。
【００４１】
一方、情報処理装置３００（４００）は、入力部３０２（４０２）と、通信部３０４（４０４）と、記憶部３０６（４０６）と、表示部３０８（４０８）と、制御部３１０（４１０）とを備え、それらが接続されるバス３１２（４１２）を備える。
【００４２】
入力部３０２（４０２）は、ユーザによる操作入力を受け付ける。例えば、入力部３０２（４０２）は、ユーザによるコンテンツリストの表示指示や暗証番号の入力を受け付ける。
【００４３】
通信部３０４（４０４）は、本発明の第２の受信部、第２の送信部の一例であり、コンテンツ再生装置２００から送信されたコンテンツリストを受信する。また、通信部３０４（４０４）は、コンテンツリストの要求やコンテンツの再生要求をコンテンツ再生装置２００に送信する。
【００４４】
記憶部３０６（４０６）は、後述する視聴制限コンテンツを含んだコンテンツリストの表示を可能とするための表示可設定や表示を不可能とするための表示不可設定の設定情報を記憶する。
【００４５】
表示部３０８（４０８）は、コンテンツ再生装置２００から受信したコンテンツリストの表示を行う。制御部３１０（４１０）は、情報処理装置３００（４００）の各部の制御を行う。
【００４６】
［２．第１のコンテンツ再生処理（第１の実施の形態）］
次に、図１のコンテンツ再生システム１００におけるコンテンツ再生装置２００および情報処理装置３００，４００が実行する第１のコンテンツ再生処理について説明する。図３は、図１のコンテンツ再生システム１００におけるコンテンツ再生装置２００および情報処理装置３００，４００が実行する第１のコンテンツ再生処理のシーケンス図である。なお、本処理では、コンテンツ再生装置２００のペアレンタルロック機能は予め有効化されている。
【００４７】
図３において、まず、コンテンツ再生装置２００は、例えば入力部２０６を介してコンテンツ再生装置２００の管理者、例えば親により暗証番号の設定を受け付ける（ステップＳ１０２）。なお、本実施の形態では、ステップＳ１０２において暗証番号の設定を行っているが、暗証番号の設定を行わずにペアレンタルロック機能を有効化または無効化するための暗証番号を代わりに使用することも可能である。
【００４８】
次いで、視聴制限コンテンツの視聴制限の対象となるユーザ、例えば子供が所有する情報処理装置３００は、例えば入力部３０２を介してユーザによりコンテンツリストの表示が指示されると、コンテンツ再生装置２００に通信部３０４を介してコンテンツリストの要求を送信する（ステップＳ１０４）。なお、情報処理装置３００のユーザ、例えば子供は、ステップＳ１０２で設定された暗証番号を知らないため、ステップＳ１０４で送信されるコンテンツリストの要求には暗証番号情報は付加されない。
【００４９】
次いで、コンテンツ再生装置２００は、情報処理装置３００から通信部２０８を介してコンテンツリストの要求を受信すると、確認部２１６は、受信したコンテンツリストの要求に付加されている暗証番号情報に基づいて、暗証番号の確認を行う（ステップＳ１０６）。なお、ステップＳ１０４で送信されるコンテンツリストの要求には暗証番号情報が付加されていないため、ステップＳ１０６では、暗証番号の照合は行えない。
【００５０】
次いで、コンテンツ再生装置２００は、ステップＳ１０６において暗証番号の照合が行えなかったため、生成部２１８は、再生可能なコンテンツのうち視聴制限コンテンツを除いたコンテンツリストの生成を行う（ステップＳ１０８）。
【００５１】
次いで、コンテンツ再生装置２００は、ステップＳ１０８で生成した、視聴制限コンテンツを除いたコンテンツリストを通信部２０８を介して情報処理装置３００に送信する（ステップＳ１１０）。
【００５２】
次いで、情報処理装置３００は、コンテンツ再生装置２００から通信部３０４を介してコンテンツリストを受信すると、表示部３０８は、受信したコンテンツリストの表示を行う（ステップＳ１１２）。例えば、ステップＳ１１２では、図６に示すように、情報処理装置３００の表示部３０８は、コンテンツリスト３２０を表示する。
【００５３】
一方、視聴制限コンテンツの視聴制限の対象とならないユーザ、例えば親が所有する情報処理装置４００は、例えば入力部４０２を介してユーザによりコンテンツリストの表示が指示されるとともに、ステップＳ１０２で設定された暗証番号が入力されると、コンテンツ再生装置２００に通信部４０４を介して暗証番号情報が付加された、コンテンツリストの要求を送信する（ステップＳ１１４）。なお、情報処理装置４００は、ステップＳ１１４で入力された暗証番号を記憶部４０６に記憶してもよい。
【００５４】
次いで、コンテンツ再生装置２００は、情報処理装置４００から通信部２０８を介して暗証番号情報が付加された、コンテンツリストの要求を受信すると、確認部２１６は、受信したコンテンツリストの要求に付加されている暗証番号情報に基づいて、暗証番号の確認を行う（ステップＳ１１６）。なお、ステップＳ１１４で送信されるコンテンツリストの要求には暗証番号情報が付加されているため、ステップＳ１１６では、暗証番号の照合が行える。
【００５５】
次いで、コンテンツ再生装置２００は、ステップＳ１１６において暗証番号の照合が取れた場合は、生成部２１８は、再生可能なコンテンツのうち視聴制限コンテンツを含んだコンテンツリストの生成を行う（ステップＳ１１８）。なお、ステップＳ１１６において暗証番号の照合が取れない場合は、コンテンツ再生装置２００は、ステップＳ１０４におけるコンテンツリストの要求を受信した場合と同様の処理を行う。すなわち、生成部２１８は、再生可能なコンテンツのうち視聴制限コンテンツを除いたコンテンツリストの生成を行う。
【００５６】
次いで、コンテンツ再生装置２００は、ステップＳ１１８で生成した、視聴制限コンテンツを含んだコンテンツリストを通信部２０８を介して情報処理装置４００に送信する（ステップＳ１２０）。
【００５７】
次いで、情報処理装置４００は、コンテンツ再生装置２００から通信部４０４を介してコンテンツリストを受信すると、表示部４０８は、受信したコンテンツリストの表示を行う（ステップＳ１２２）。例えば、ステップＳ１２２では、図７に示すように、情報処理装置４００の表示部４０８は、コンテンツリスト４２０と、視聴制限コンテンツを明示するための視聴制限４２２とを表示する。ユーザは、視聴制限４２２を確認することにより、コンテンツリスト４２０における「スハイターマン３，４，７」が視聴制限コンテンツであることを認識することができる。
【００５８】
次いで、情報処理装置４００は、例えば入力部４０２を介してユーザによりステップＳ１２２で表示されたコンテンツリスト内のコンテンツの再生が指示されるとともに、ステップＳ１０２で設定された暗証番号が入力されると、コンテンツ再生装置２００に通信部４０４を介して暗証番号情報が付加された、再生が指示されたコンテンツの再生要求を送信する（ステップＳ１２４）。なお、ステップＳ１２４で送信される、再生が指示されたコンテンツの再生要求には当該コンテンツの識別情報が付加される。
【００５９】
次いで、コンテンツ再生装置２００は、情報処理装置４００から通信部２０８を介して暗証番号情報が付加された、再生が指示されたコンテンツの再生要求を受信すると、確認部２１６は、再生が指示されたコンテンツの再生要求に付加されている暗証番号情報に基づいて、暗証番号の確認を行う（ステップＳ１２６）。
【００６０】
次いで、コンテンツ再生装置２００は、ステップＳ１２６において暗証番号の照合が取れた場合は、再生部２２０は、再生が指示されたコンテンツの再生を行い、出力部２１２は、再生部２２０により再生されたコンテンツを出力装置１０６に出力する（ステップＳ１２８）。
【００６１】
図３の第１のコンテンツ再生処理によれば、視聴制限コンテンツの視聴制限の対象となるユーザ、例えば子供が所有する情報処理装置３００には、再生可能なコンテンツのうち視聴制限コンテンツを除いたコンテンツリストが表示され、視聴制限コンテンツの視聴制限の対象とならないユーザ、例えば親が所有する情報処理装置４００には、再生可能なコンテンツのうち視聴制限コンテンツを含んだコンテンツリストが表示される。したがって、視聴制限コンテンツの視聴制限の対象とならないユーザ、例えば親は、視聴制限コンテンツの再生を指示したい場合に、コンテンツ再生装置２００のペアレンタルロック機能を無効化する必要がない。これにより、コンテンツ再生装置２００のペアレンタルロック機能が有効化されている場合において、コンテンツの再生におけるユーザの操作性を向上させることができる。
【００６２】
［３．第２のコンテンツ再生処理（第１の実施の形態）］
次に、図１のコンテンツ再生システム１００におけるコンテンツ再生装置２００および情報処理装置３００，４００が実行する第２のコンテンツ再生処理について説明する。図４は、図１のコンテンツ再生システム１００におけるコンテンツ再生装置２００および情報処理装置３００，４００が実行する第２のコンテンツ再生処理のシーケンス図である。なお、本処理では、コンテンツ再生装置２００のペアレンタルロック機能は予め有効化されている。
【００６３】
図４において、まず、視聴制限コンテンツの視聴制限の対象となるユーザ、例えば子供が所有する情報処理装置３００は、例えば入力部３０２を介してコンテンツ再生装置２００の管理者、例えば親により全ての再生可能なコンテンツを含んだコンテンツリストの表示を不可能とする、すなわち視聴制限コンテンツを含んだコンテンツリストの表示を不可能とするための表示不可設定を受け付ける（ステップＳ２０２）。なお、情報処理装置３００が携帯電話である場合は、子供が所有する携帯電話は大抵、親が契約を結ぶため、親が契約の際に、ステップＳ２０２で設定する表示不可設定を子供の携帯電話に埋め込むようにしてもよい。
【００６４】
一方、視聴制限コンテンツの視聴制限の対象とならないユーザ、例えば親が所有する情報処理装置４００は、例えば入力部４０２を介してコンテンツ再生装置２００の管理者、例えば親により全ての再生可能なコンテンツを含んだコンテンツリストの表示を可能とする、すなわち視聴制限コンテンツを含んだコンテンツリストの表示を可能とするための表示可設定を受け付ける（ステップＳ２０４）。
【００６５】
そして、情報処理装置３００は、例えば入力部３０２を介してユーザによりコンテンツリストの表示が指示されると、コンテンツ再生装置２００に通信部３０４を介してステップＳ２０２で受け付けた表示不可設定の設定情報が付加された、コンテンツリストの要求を送信する（ステップＳ２０６）。
【００６６】
次いで、コンテンツ再生装置２００は、情報処理装置３００から通信部２０８を介してコンテンツリストの要求を受信すると、確認部２１６は、受信したコンテンツリストの要求に付加されている設定情報の確認を行う（ステップＳ２０８）。
【００６７】
次いで、コンテンツ再生装置２００は、ステップＳ２０８において表示不可設定の設定情報の確認を行ったため、生成部２１８は、再生可能なコンテンツのうち視聴制限コンテンツを除いたコンテンツリストの生成を行う（ステップＳ２１０）。
【００６８】
次いで、コンテンツ再生装置２００は、ステップＳ２１０で生成した、視聴制限コンテンツを除いたコンテンツリストを通信部２０８を介して情報処理装置３００に送信する（ステップＳ２１２）。
【００６９】
次いで、情報処理装置３００は、コンテンツ再生装置２００から通信部３０４を介してコンテンツリストを受信すると、表示部３０８は、受信したコンテンツリストの表示を行う（ステップＳ２１４）。
【００７０】
一方、情報処理装置４００は、例えば入力部４０２を介してユーザによりコンテンツリストの表示が指示されると、コンテンツ再生装置２００に通信部４０４を介してステップＳ２０４で受け付けた表示可設定の設定情報が付加された、コンテンツリストの要求を送信する（ステップＳ２１６）。
【００７１】
次いで、コンテンツ再生装置２００は、情報処理装置４００から通信部２０８を介してコンテンツリストの要求を受信すると、確認部２１６は、受信したコンテンツリストの要求に付加されている設定情報の確認を行う（ステップＳ２１８）。
【００７２】
次いで、コンテンツ再生装置２００は、ステップＳ２１８において表示可設定の設定情報の確認を行ったため、生成部２１８は、再生可能なコンテンツのうち視聴制限コンテンツを含んだコンテンツリストの生成を行う（ステップＳ２２０）。
【００７３】
次いで、コンテンツ再生装置２００は、ステップＳ２２０で生成した、視聴制限コンテンツを含んだコンテンツリストを通信部２０８を介して情報処理装置４００に送信する（ステップＳ２２２）。
【００７４】
次いで、情報処理装置４００は、コンテンツ再生装置２００から通信部４０４を介してコンテンツリストを受信すると、表示部４０８は、受信したコンテンツリストの表示を行う（ステップＳ２２４）。
【００７５】
次いで、情報処理装置４００は、例えば入力部４０２を介してユーザによりステップＳ２２４で表示されたコンテンツリスト内のコンテンツの再生が指示されると、コンテンツ再生装置２００に通信部４０４を介してステップＳ２０４で受け付けた表示可設定の設定情報が付加された、再生が指示されたコンテンツの再生要求を送信する（ステップＳ２２６）。なお、ステップＳ２２６で送信される、再生が指示されたコンテンツの再生要求には当該コンテンツの識別情報が付加される。
【００７６】
次いで、コンテンツ再生装置２００は、情報処理装置４００から通信部２０８を介して設定情報が付加された、再生が指示されたコンテンツの再生要求を受信すると、確認部２１６は、再生が指示されたコンテンツの再生要求に付加されている設定情報の確認を行う（ステップＳ２２８）。
【００７７】
次いで、コンテンツ再生装置２００は、ステップＳ２２８において表示可設定の設定情報の確認を行ったため、再生部２２０は、再生が指示されたコンテンツの再生を行い、出力部２１２は、再生部２２０により再生されたコンテンツを出力装置１０６に出力する（ステップＳ２３０）。
【００７８】
図４の第２のコンテンツ再生処理によれば、視聴制限コンテンツの視聴制限の対象となるユーザ、例えば子供が所有する情報処理装置３００には、再生可能なコンテンツのうち視聴制限コンテンツを除いたコンテンツリストが表示され、視聴制限コンテンツの視聴制限の対象とならないユーザ、例えば親が所有する情報処理装置４００には、再生可能なコンテンツのうち視聴制限コンテンツを含んだコンテンツリストが表示される。したがって、上述した図３の第１のコンテンツ再生処理と同様の効果を奏することができる。
【００７９】
［４．第３のコンテンツ再生処理（第１の実施の形態）］
次に、図１のコンテンツ再生システム１００におけるコンテンツ再生装置２００および情報処理装置３００，４００が実行する第３のコンテンツ再生処理について説明する。図５は、図１のコンテンツ再生システム１００におけるコンテンツ再生装置２００および情報処理装置３００，４００が実行する第３のコンテンツ再生処理のシーケンス図である。なお、本処理では、コンテンツ再生装置２００のペアレンタルロック機能は予め有効化されている。
【００８０】
図５において、まず、コンテンツ再生装置２００は、例えば入力部２０６を介してコンテンツ再生装置２００の管理者、例えば親により、視聴制限コンテンツの視聴制限の対象となるユーザ、例えば子供が所有する情報処理装置３００や、視聴制限コンテンツの視聴制限の対象とならないユーザ、例えば親が所有する情報処理装置４００の機器情報の登録を受け付ける（ステップＳ３０２）。
【００８１】
次いで、コンテンツ再生装置２００は、例えば入力部２０６を介してコンテンツ再生装置２００の管理者、例えば親により、ステップＳ３０２で登録された情報処理装置３００の機器情報に対する、全ての再生可能なコンテンツを含んだコンテンツリストの表示を不可能とする、すなわち視聴制限コンテンツを含んだコンテンツリストの表示を不可能とするための表示不可設定を受け付ける。また、コンテンツ再生装置２００は、例えば入力部２０６を介してコンテンツ再生装置２００の管理者、例えば親により、ステップＳ３０２で登録された情報処理装置４００の機器情報に対する、全ての再生可能なコンテンツを含んだコンテンツリストの表示を可能とする、すなわち視聴制限コンテンツを含んだコンテンツリストの表示を可能とするための表示可設定を受け付ける（ステップＳ３０４）。
【００８２】
次いで、情報処理装置３００は、例えば入力部３０２を介してユーザによりコンテンツリストの表示が指示されると、コンテンツ再生装置２００に通信部３０４を介して情報処理装置３００の機器情報が付加された、コンテンツリストの要求を送信する（ステップＳ３０６）。
【００８３】
次いで、コンテンツ再生装置２００は、情報処理装置３００から通信部２０８を介してコンテンツリストの要求を受信すると、確認部２１６は、受信したコンテンツリストの要求に付加されている機器情報の確認を行う（ステップＳ３０８）。
【００８４】
次いで、コンテンツ再生装置２００は、ステップＳ３０８において情報処理装置３００の機器情報の確認を行い、ステップＳ３０４において情報処理装置３００の機器情報に対して表示不可設定が設定されているため、生成部２１８は、再生可能なコンテンツのうち視聴制限コンテンツを除いたコンテンツリストの生成を行う（ステップＳ３１０）。
【００８５】
次いで、コンテンツ再生装置２００は、ステップＳ３１０で生成した、視聴制限コンテンツを除いたコンテンツリストを通信部２０８を介して情報処理装置３００に送信する（ステップＳ３１２）。
【００８６】
次いで、情報処理装置３００は、コンテンツ再生装置２００から通信部３０４を介してコンテンツリストを受信すると、表示部３０８は、受信したコンテンツリストの表示を行う（ステップＳ３１４）。
【００８７】
一方、情報処理装置４００は、例えば入力部４０２を介してユーザによりコンテンツリストの表示が指示されると、コンテンツ再生装置２００に通信部４０４を介して情報処理装置４００の機器情報が付加された、コンテンツリストの要求を送信する（ステップＳ３１６）。
【００８８】
次いで、コンテンツ再生装置２００は、情報処理装置４００から通信部２０８を介してコンテンツリストの要求を受信すると、確認部２１６は、受信したコンテンツリストの要求に付加されている機器情報の確認を行う（ステップＳ３１８）。
【００８９】
次いで、コンテンツ再生装置２００は、ステップＳ３１８において情報処理装置４００の機器情報の確認を行い、ステップＳ３０４において情報処理装置４００の機器情報に対して表示可設定が設定されているため、生成部２１８は、再生可能なコンテンツのうち視聴制限コンテンツを含んだコンテンツリストの生成を行う（ステップＳ３２０）。
【００９０】
次いで、コンテンツ再生装置２００は、ステップＳ３２０で生成した、視聴制限コンテンツを含んだコンテンツリストを通信部２０８を介して情報処理装置４００に送信する（ステップＳ３２２）。
【００９１】
次いで、情報処理装置４００は、コンテンツ再生装置２００から通信部４０４を介してコンテンツリストを受信すると、表示部４０８は、受信したコンテンツリストの表示を行う（ステップＳ３２４）。
【００９２】
次いで、情報処理装置４００は、例えば入力部４０２を介してユーザによりステップＳ３２４で表示されたコンテンツリスト内のコンテンツの再生が指示されると、コンテンツ再生装置２００に通信部４０４を介して情報処理装置４００の機器情報が付加された、再生が指示されたコンテンツの再生要求を送信する（ステップＳ３２６）。なお、ステップＳ３２６で送信される、再生が指示されたコンテンツの再生要求には当該コンテンツの識別情報が付加される。
【００９３】
次いで、コンテンツ再生装置２００は、情報処理装置４００から通信部２０８を介して情報処理装置４００の機器情報が付加された、再生が指示されたコンテンツの再生要求を受信すると、確認部２１６は、再生が指示されたコンテンツの再生要求に付加されている機器情報の確認を行う（ステップＳ３２８）。
【００９４】
次いで、コンテンツ再生装置２００は、ステップＳ３２８において情報処理装置４００の機器情報の確認を行ったため、再生部２２０は、再生が指示されたコンテンツの再生を行い、出力部２１２は、再生部２２０により再生されたコンテンツを出力装置１０６に出力する（ステップＳ３３０）。
【００９５】
図５の第３のコンテンツ再生処理によれば、視聴制限コンテンツの視聴制限の対象となるユーザ、例えば子供が所有する情報処理装置３００には、再生可能なコンテンツのうち視聴制限コンテンツを除いたコンテンツリストが表示され、視聴制限コンテンツの視聴制限の対象とならないユーザ、例えば親が所有する情報処理装置４００には、再生可能なコンテンツのうち視聴制限コンテンツを含んだコンテンツリストが表示される。したがって、上述した図３の第１のコンテンツ再生処理と同様の効果を奏することができる。
【００９６】
［５．コンテンツ再生システム（第２の実施の形態）］
次に、本発明の第２の実施の形態に係るコンテンツ再生システムについて説明する。図８は、本発明の第２の実施の形態に係るコンテンツ再生システムにおけるコンテンツ再生装置および情報処理装置の構成を概略的に示すブロック図である。
【００９７】
図８において、コンテンツ再生システム１３０は、放送番組やＤＶＤなどのコンテンツを再生するコンテンツ再生装置２３０と、携帯電話などの情報処理装置３３０，４３０とを備える。コンテンツ再生装置２３０には、例えば子供が自由に成人向けの番組等を見れないようにするために、ペアレンタルロックと称される、親が子供の視聴できるコンテンツを制限する視聴制限機能が搭載されている。本実施の形態では、情報処理装置３３０は、放送事業者等により視聴制限情報が付加されたコンテンツ（以下、「視聴制限コンテンツ」という。）の視聴制限の対象となるユーザ、例えば子供１としての弟が所有する情報処理装置であり、情報処理装置４３０は、視聴制限コンテンツのうち、特定の視聴制限コンテンツの視聴制限の対象とならないユーザ、例えば子供２としての兄が所有する情報処理装置である。
【００９８】
コンテンツ再生装置２３０は、放送局から放送番組等のコンテンツを受信する。また、コンテンツ再生装置２３０は、インターネットを介して放送番組等のコンテンツを受信する。なお、放送局から受信したコンテンツやインターネットを介して受信したコンテンツのうち、例えば、親が子供に見せたくない可能性の高い成人向けの番組等のコンテンツには、放送事業者等により視聴制限情報が付加される。また、視聴制限情報には年齢情報が含まれており、放送事業者等は年齢情報の年齢を満たしていないユーザによる当該視聴制限コンテンツの視聴を制限している。
【００９９】
情報処理装置３３０，４３０は、コンテンツ再生装置２３０に再生可能なコンテンツのリスト（以下、単に「コンテンツリスト」という。）を要求することにより、コンテンツ再生装置２３０からコンテンツリストを受信することができる。また、情報処理装置３３０，４３０は、受信したコンテンツリストの表示を行い、ユーザによりコンテンツリスト内のコンテンツの再生が指示されると、コンテンツ再生装置２３０に当該コンテンツの再生を要求することができる。
【０１００】
また、コンテンツ再生装置２３０は、受信部２３２と、制御部２３４と、入力部２３６と、通信部２３８と、記憶部２４０と、出力部２４２とを備え、さらに、それらが接続されるバス２４４を備える。
【０１０１】
受信部２３２は、放送局から放送番組等のコンテンツを受信する。また、受信部２３２は、インターネットを介して放送番組等のコンテンツを受信する。
【０１０２】
制御部２３４は、コンテンツ再生装置２３０の各部の制御を行う。また、制御部２３４は、算出部２４６と、生成部２４８と、再生部２５０とを備える。算出部２４６は、情報処理装置３３０，４３０から受信したコンテンツリストの要求やコンテンツの再生要求に後述する生年月日設定の設定情報が付加されている場合には、その設定情報に基づいて、ユーザの年齢を算出する。また、算出部２４６は、情報処理装置３３０，４３０から受信したコンテンツリストの要求やコンテンツの再生要求に後述する機器情報が付加されている場合には、その機器情報に対して設定されている、生年月日設定の設定情報に基づいて、ユーザの年齢を算出する。生成部２４８は、再生可能なコンテンツのうち視聴制限コンテンツを除いたコンテンツリストの生成や、再生可能なコンテンツのうち、視聴制限コンテンツのうちの特定の視聴制限コンテンツのみを含んだコンテンツリストの生成を行う。再生部２５０は、再生が指示されたコンテンツの再生を行う。
【０１０３】
入力部２３６は、ユーザによる操作入力を受け付ける。例えば、入力部２３６は、ペアレンタルロック機能を有効化または無効化するための暗証番号の入力を受け付ける。
【０１０４】
通信部２３８は、本発明の第３の受信部、第３の送信部の一例であり、情報処理装置３３０，４３０から送信されたコンテンツリストの要求やコンテンツの再生要求を受信する。また、通信部２３８は、生成部２４８により生成されたコンテンツリストを情報処理装置３３０，４３０に送信する。
【０１０５】
記憶部２４０は、受信部２３２が受信した放送番組等のコンテンツの記録が指示されている場合は、当該コンテンツを記憶する。また、記憶部２４０は、視聴制限コンテンツを記憶する場合は、視聴制限コンテンツと視聴制限情報とを関連付けて記憶する。
【０１０６】
出力部２４２は、再生部２５０により再生されたコンテンツを出力装置１３６に出力する。出力装置１３６は、入力されたコンテンツの画像出力や音声出力を行う。
【０１０７】
一方、情報処理装置３３０（４３０）は、入力部３３２（４３２）と、通信部３３４（４３４）と、記憶部３３６（４３６）と、表示部３３８（４３８）と、制御部３４０（４４０）とを備え、それらが接続されるバス３４２（４４２）を備える。
【０１０８】
入力部３３２（４３２）は、ユーザによる操作入力を受け付ける。例えば、入力部３３２（４３２）は、ユーザによるコンテンツリストの表示指示を受け付ける。
【０１０９】
通信部３３４（４３４）は、本発明の第４の受信部、第４の送信部の一例であり、コンテンツ再生装置２３０から送信されたコンテンツリストを受信する。また、通信部３３４（４３４）は、コンテンツリストの要求やコンテンツの再生要求をコンテンツ再生装置２３０に送信する。
【０１１０】
記憶部３３６（４３６）は、後述するユーザの生年月日設定の設定情報を記憶する。表示部３３８（４３８）は、コンテンツ再生装置２３０から受信したコンテンツリストの表示を行う。制御部３４０（４４０）は、情報処理装置３３０（４３０）の各部の制御を行う。
【０１１１】
［６．第１のコンテンツ再生処理（第２の実施の形態）］
次に、図８のコンテンツ再生システム１３０におけるコンテンツ再生装置２３０および情報処理装置３３０，４３０が実行する第１のコンテンツ再生処理について説明する。図９は、図８のコンテンツ再生システム１３０におけるコンテンツ再生装置２３０および情報処理装置３３０，４３０が実行する第１のコンテンツ再生処理のシーケンス図である。なお、本処理では、コンテンツ再生装置２３０のペアレンタルロック機能は予め有効化されている。
【０１１２】
図９において、まず、視聴制限コンテンツの視聴制限の対象となるユーザ、例えば子供１としての弟が所有する情報処理装置３３０は、例えば入力部３３２を介してコンテンツ再生装置２３０の管理者、例えば親により弟の生年月日の設定を受け付ける（ステップＳ４０２）。
【０１１３】
一方、視聴制限コンテンツのうち、特定の視聴制限コンテンツの視聴制限の対象とならないユーザ、例えば子供２としての兄が所有する情報処理装置４３０は、例えば入力部４３２を介してコンテンツ再生装置２３０の管理者、例えば親により兄の生年月日の設定を受け付ける（ステップＳ４０４）。
【０１１４】
そして、情報処理装置３３０は、例えば入力部３３２を介してユーザによりコンテンツリストの表示が指示されると、コンテンツ再生装置２３０に通信部３３４を介してステップＳ４０２で受け付けた生年月日設定の設定情報が付加された、コンテンツリストの要求を送信する（ステップＳ４０６）。
【０１１５】
次いで、コンテンツ再生装置２３０は、情報処理装置３３０から通信部２３８を介してコンテンツリストの要求を受信すると、算出部２４６は、受信したコンテンツリストの要求に付加されている設定情報に基づいて、情報処理装置３３０のユーザの年齢を算出する（ステップＳ４０８）。
【０１１６】
次いで、コンテンツ再生装置２３０は、ステップＳ４０８においてユーザの年齢を算出した結果、情報処理装置３３０のユーザが視聴制限コンテンツの視聴制限の対象となる年齢のユーザであるため、生成部２４８は、再生可能なコンテンツのうち視聴制限コンテンツを除いたコンテンツリストの生成を行う（ステップＳ４１０）。
【０１１７】
次いで、コンテンツ再生装置２３０は、ステップＳ４１０で生成した、視聴制限コンテンツを除いたコンテンツリストを通信部２３８を介して情報処理装置３３０に送信する（ステップＳ４１２）。
【０１１８】
次いで、情報処理装置３３０は、コンテンツ再生装置２３０から通信部３３４を介してコンテンツリストを受信すると、表示部３３８は、受信したコンテンツリストの表示を行う（ステップＳ４１４）。
【０１１９】
一方、情報処理装置４３０は、例えば入力部４３２を介してユーザによりコンテンツリストの表示が指示されると、コンテンツ再生装置２３０に通信部４３４を介してステップＳ４０４で受け付けた生年月日設定の設定情報が付加された、コンテンツリストの要求を送信する（ステップＳ４１６）。
【０１２０】
次いで、コンテンツ再生装置２３０は、情報処理装置４３０から通信部２３８を介してコンテンツリストの要求を受信すると、算出部２４６は、受信したコンテンツリストの要求に付加されている設定情報に基づいて、情報処理装置４３０のユーザの年齢を算出する（ステップＳ４１８）。
【０１２１】
次いで、コンテンツ再生装置２３０は、ステップＳ４１８においてユーザの年齢を算出した結果、情報処理装置４３０のユーザが視聴制限コンテンツのうち、特定の視聴制限コンテンツの視聴制限の対象とならない年齢のユーザであるため、生成部２４８は、視聴制限情報に含まれる年齢情報に基づいて、再生可能なコンテンツのうち、視聴制限コンテンツのうちの特定の視聴制限コンテンツのみを含んだコンテンツリストの生成を行う（ステップＳ４２０）。
【０１２２】
次いで、コンテンツ再生装置２３０は、ステップＳ４２０で生成した、視聴制限コンテンツのうちの特定の視聴制限コンテンツのみを含んだコンテンツリストを通信部２３８を介して情報処理装置４３０に送信する（ステップＳ４２２）。
【０１２３】
次いで、情報処理装置４３０は、コンテンツ再生装置２３０から通信部４３４を介してコンテンツリストを受信すると、表示部４３８は、受信したコンテンツリストの表示を行う（ステップＳ４２４）。
【０１２４】
次いで、情報処理装置４３０は、例えば入力部４３２を介してユーザによりステップＳ４２４で表示されたコンテンツリスト内のコンテンツの再生が指示されると、コンテンツ再生装置２３０に通信部４３４を介してステップＳ４０４で受け付けた生年月日設定の設定情報が付加された、再生が指示されたコンテンツの再生要求を送信する（ステップＳ４２６）。なお、ステップＳ４２６で送信される、再生が指示されたコンテンツの再生要求には当該コンテンツの識別情報が付加される。
【０１２５】
次いで、コンテンツ再生装置２３０は、情報処理装置４３０から通信部２３８を介して設定情報が付加された、再生が指示されたコンテンツの再生要求を受信すると、算出部２４６は、再生が指示されたコンテンツの再生要求に付加されている設定情報に基づいて、情報処理装置４３０のユーザの年齢を算出する（ステップＳ４２８）。
【０１２６】
次いで、コンテンツ再生装置２３０は、ステップＳ４２８においてユーザの年齢を算出した結果、情報処理装置４３０のユーザが再生が指示されたコンテンツの再生が制限された年齢のユーザではないため、再生部２５０は、再生が指示されたコンテンツの再生を行い、出力部２４２は、再生部２５０により再生されたコンテンツを出力装置１３６に出力する（ステップＳ４３０）。
【０１２７】
図９の第１のコンテンツ再生処理によれば、視聴制限コンテンツの視聴制限の対象となるユーザ、例えば子供１としての弟が所有する情報処理装置３３０には、再生可能なコンテンツのうち視聴制限コンテンツを除いたコンテンツリストが表示され、視聴制限コンテンツのうち、特定の視聴制限コンテンツの視聴制限の対象とならないユーザ、例えば子供２としての兄が所有する情報処理装置４３０には、再生可能なコンテンツのうち、視聴制限コンテンツのうちの特定の視聴制限コンテンツのみを含んだコンテンツリストが表示される。したがって、視聴制限コンテンツのうち、特定の視聴制限コンテンツの視聴制限の対象とならないユーザ、例えば子供２としての兄は、特定の視聴制限コンテンツの再生を指示したい場合に、コンテンツ再生装置２３０のペアレンタルロック機能を無効化する必要がない。これにより、コンテンツ再生装置２３０のペアレンタルロック機能が有効化されている場合において、コンテンツの再生におけるユーザの操作性を向上させることができる。
【０１２８】
［７．第２のコンテンツ再生処理（第２の実施の形態）］
次に、図８のコンテンツ再生システム１３０におけるコンテンツ再生装置２３０および情報処理装置３３０，４３０が実行する第２のコンテンツ再生処理について説明する。図１０は、図８のコンテンツ再生システム１３０におけるコンテンツ再生装置２３０および情報処理装置３３０，４３０が実行する第２のコンテンツ再生処理のシーケンス図である。なお、本処理では、コンテンツ再生装置２３０のペアレンタルロック機能は予め有効化されている。
【０１２９】
図１０において、まず、コンテンツ再生装置２３０は、例えば入力部２３６を介してコンテンツ再生装置２３０の管理者、例えば親により、視聴制限コンテンツの視聴制限の対象となるユーザ、例えば子供１としての弟が所有する情報処理装置３３０や、視聴制限コンテンツのうち、特定の視聴制限コンテンツの視聴制限の対象とならないユーザ、例えば子供２としての兄が所有する情報処理装置４３０の機器情報の登録を受け付ける（ステップＳ５０２）。
【０１３０】
次いで、コンテンツ再生装置２３０は、例えば入力部２３６を介してコンテンツ再生装置２３０の管理者、例えば親により、ステップＳ５０２で登録された情報処理装置３３０の機器情報に対する、弟の生年月日の設定を受け付ける。また、コンテンツ再生装置２３０は、例えば入力部２３６を介してコンテンツ再生装置２３０の管理者、例えば親により、ステップＳ５０２で登録された情報処理装置４３０の機器情報に対する、兄の生年月日の設定を受け付ける（ステップＳ５０４）。
【０１３１】
次いで、情報処理装置３３０は、例えば入力部３３２を介してユーザによりコンテンツリストの表示が指示されると、コンテンツ再生装置２３０に通信部３３４を介して情報処理装置３３０の機器情報が付加された、コンテンツリストの要求を送信する（ステップＳ５０６）。
【０１３２】
次いで、コンテンツ再生装置２３０は、情報処理装置３３０から通信部２３８を介してコンテンツリストの要求を受信すると、算出部２４６は、受信したコンテンツリストの要求に付加されている機器情報に対して設定されている、ステップＳ５０４で受け付けた生年月日設定の設定情報に基づいて、情報処理装置３３０のユーザの年齢を算出する（ステップＳ５０８）。
【０１３３】
次いで、コンテンツ再生装置２３０は、ステップＳ５０８においてユーザの年齢を算出した結果、情報処理装置３３０のユーザが視聴制限コンテンツの視聴制限の対象となる年齢のユーザであるため、生成部２４８は、再生可能なコンテンツのうち視聴制限コンテンツを除いたコンテンツリストの生成を行う（ステップＳ５１０）。
【０１３４】
次いで、コンテンツ再生装置２３０は、ステップＳ５１０で生成した、視聴制限コンテンツを除いたコンテンツリストを通信部２３８を介して情報処理装置３３０に送信する（ステップＳ５１２）。
【０１３５】
次いで、情報処理装置３３０は、コンテンツ再生装置２３０から通信部３３４を介してコンテンツリストを受信すると、表示部３３８は、受信したコンテンツリストの表示を行う（ステップＳ５１４）。
【０１３６】
一方、情報処理装置４３０は、例えば入力部４３２を介してユーザによりコンテンツリストの表示が指示されると、コンテンツ再生装置２３０に通信部４３４を介して情報処理装置４３０の機器情報が付加された、コンテンツリストの要求を送信する（ステップＳ５１６）。
【０１３７】
次いで、コンテンツ再生装置２３０は、情報処理装置４３０から通信部２３８を介してコンテンツリストの要求を受信すると、算出部２４６は、受信したコンテンツリストの要求に付加されている機器情報に対して設定されている、ステップＳ５０４で受け付けた生年月日設定の設定情報に基づいて、情報処理装置４３０のユーザの年齢を算出する（ステップＳ５１８）。
【０１３８】
次いで、コンテンツ再生装置２３０は、ステップＳ５１８においてユーザの年齢を算出した結果、情報処理装置４３０のユーザが視聴制限コンテンツのうち、特定の視聴制限コンテンツの視聴制限の対象とならない年齢のユーザであるため、生成部２４８は、視聴制限情報に含まれる年齢情報に基づいて、再生可能なコンテンツのうち、視聴制限コンテンツのうちの特定の視聴制限コンテンツのみを含んだコンテンツリストの生成を行う（ステップＳ５２０）。
【０１３９】
次いで、コンテンツ再生装置２３０は、ステップＳ５２０で生成した、視聴制限コンテンツのうちの特定の視聴制限コンテンツのみを含んだコンテンツリストを通信部２３８を介して情報処理装置４３０に送信する（ステップＳ５２２）。
【０１４０】
次いで、情報処理装置４３０は、コンテンツ再生装置２３０から通信部４３４を介してコンテンツリストを受信すると、表示部４３８は、受信したコンテンツリストの表示を行う（ステップＳ５２４）。
【０１４１】
次いで、情報処理装置４３０は、例えば入力部４３２を介してユーザによりステップＳ５２４で表示されたコンテンツリスト内のコンテンツの再生が指示されると、コンテンツ再生装置２３０に通信部４３４を介して情報処理装置４３０の機器情報が付加された、再生が指示されたコンテンツの再生要求を送信する（ステップＳ５２６）。なお、ステップＳ５２６で送信される、再生が指示されたコンテンツの再生要求には当該コンテンツの識別情報が付加される。
【０１４２】
次いで、コンテンツ再生装置２３０は、情報処理装置４３０から通信部２３８を介して情報処理装置４３０の機器情報が付加された、再生が指示されたコンテンツの再生要求を受信すると、制御部２３４は、再生が指示されたコンテンツの再生要求に付加されている機器情報の確認を行う（ステップＳ５２８）。
【０１４３】
次いで、コンテンツ再生装置２３０は、ステップＳ５２８において情報処理装置４３０の機器情報の確認を行ったため、再生部２５０は、再生が指示されたコンテンツの再生を行い、出力部２４２は、再生部２５０により再生されたコンテンツを出力装置１３６に出力する（ステップＳ５３０）。
【０１４４】
図１０の第２のコンテンツ再生処理によれば、視聴制限コンテンツの視聴制限の対象となるユーザ、例えば子供１としての弟が所有する情報処理装置３３０には、再生可能なコンテンツのうち視聴制限コンテンツを除いたコンテンツリストが表示され、視聴制限コンテンツのうち、特定の視聴制限コンテンツの視聴制限の対象とならないユーザ、例えば子供２としての兄が所有する情報処理装置４３０には、再生可能なコンテンツのうち、視聴制限コンテンツのうちの特定の視聴制限コンテンツのみを含んだコンテンツリストが表示される。したがって、上述した図９の第１のコンテンツ再生処理と同様の効果を奏することができる。
【０１４５】
［８．コンテンツ再生システム（第３の実施の形態）］
次に、本発明の第３の実施の形態に係るコンテンツ再生システムについて説明する。図１１は、本発明の第３の実施の形態に係るコンテンツ再生システムにおけるコンテンツ再生装置および情報処理装置の構成を概略的に示すブロック図である。
【０１４６】
図１１において、コンテンツ再生システム１６０は、放送番組やＤＶＤなどのコンテンツを再生するコンテンツ再生装置２６０と、携帯電話などの情報処理装置３６０，４６０とを備える。コンテンツ再生装置２６０には、例えば子供が自由に成人向けの番組等を見れないようにするために、ペアレンタルロックと称される、親が子供の視聴できるコンテンツを制限する視聴制限機能が搭載されている。本実施の形態では、情報処理装置３６０は、放送事業者等により視聴制限情報が付加されたコンテンツ（以下、「視聴制限コンテンツ」という。）の視聴制限の対象となるユーザ、例えば子供１が所有する情報処理装置であり、情報処理装置４６０も同様に、視聴制限コンテンツの視聴制限の対象となるユーザ、例えば子供２が所有する情報処理装置である。
【０１４７】
コンテンツ再生装置２６０は、放送局から放送番組等のコンテンツを受信する。また、コンテンツ再生装置２６０は、インターネットを介して放送番組等のコンテンツを受信する。なお、放送局から受信したコンテンツやインターネットを介して受信したコンテンツのうち、例えば、親が子供に見せたくない可能性の高い成人向けの番組等のコンテンツには、放送事業者等により視聴制限情報が付加される。
【０１４８】
情報処理装置３６０，４６０は、コンテンツ再生装置２６０に再生可能なコンテンツのリスト（以下、単に「コンテンツリスト」という。）を要求することにより、コンテンツ再生装置２６０からコンテンツリストを受信することができる。また、情報処理装置３６０，４６０は、受信したコンテンツリストの表示を行い、ユーザによりコンテンツリスト内のコンテンツの再生が指示されると、コンテンツ再生装置２６０に当該コンテンツの再生を要求することができる。
【０１４９】
また、コンテンツ再生装置２６０は、受信部２６２と、制御部２６４と、入力部２６６と、通信部２６８と、記憶部２７０と、出力部２７２とを備え、さらに、それらが接続されるバス２７４を備える。
【０１５０】
受信部２６２は、放送局から放送番組等のコンテンツを受信する。また、受信部２６２は、インターネットを介して放送番組等のコンテンツを受信する。
【０１５１】
制御部２６４は、コンテンツ再生装置２６０の各部の制御を行う。また、制御部２６４は、確認部２７６と、生成部２７８と、再生部２８０とを備える。確認部２７６は、情報処理装置３６０，４６０から受信したコンテンツリストの要求やコンテンツの再生要求に後述する機器情報が付加されている場合には、その機器情報の確認を行う。生成部２７８は、再生可能なコンテンツのうち視聴制限コンテンツを除くとともに、情報処理装置３６０，４６０の機器情報に対して送信可設定がされた任意のコンテンツを含んだコンテンツリストの生成を行う。再生部２８０は、再生が指示されたコンテンツの再生を行う。
【０１５２】
入力部２６６は、ユーザによる操作入力を受け付ける。例えば、入力部２６６は、ペアレンタルロック機能を有効化または無効化するための暗証番号の入力を受け付ける。
【０１５３】
通信部２６８は、本発明の第１の受信部、第１の送信部の一例であり、情報処理装置３６０，４６０から送信されたコンテンツリストの要求やコンテンツの再生要求を受信する。また、通信部２６８は、生成部２７８により生成されたコンテンツリストを情報処理装置３６０，４６０に送信する。
【０１５４】
記憶部２７０は、受信部２６２が受信した放送番組等のコンテンツの記録が指示されている場合は、当該コンテンツを記憶する。また、記憶部２７０は、視聴制限コンテンツを記憶する場合は、視聴制限コンテンツと視聴制限情報とを関連付けて記憶する。
【０１５５】
出力部２７２は、再生部２８０により再生されたコンテンツを出力装置１６６に出力する。出力装置１６６は、入力されたコンテンツの画像出力や音声出力を行う。
【０１５６】
一方、情報処理装置３６０（４６０）は、入力部３６２（４６２）と、通信部３６４（４６４）と、記憶部３６６（４６６）と、表示部３６８（４６８）と、制御部３７０（４７０）とを備え、それらが接続されるバス３７２（４７２）を備える。
【０１５７】
入力部３６２（４６２）は、ユーザによる操作入力を受け付ける。例えば、入力部３６２（４６２）は、ユーザによるコンテンツリストの表示指示を受け付ける。
【０１５８】
通信部３６４（４６４）は、本発明の第２の受信部、第２の送信部の一例であり、コンテンツ再生装置２６０から送信されたコンテンツリストを受信する。また、通信部３６４（４６４）は、コンテンツリストの要求やコンテンツの再生要求をコンテンツ再生装置２６０に送信する。
【０１５９】
記憶部３６６（４６６）は、後述する機器情報を記憶する。表示部３６８（４６８）は、コンテンツ再生装置２６０から受信したコンテンツリストの表示を行う。制御部３７０（４７０）は、情報処理装置３６０（４６０）の各部の制御を行う。
【０１６０】
［９．コンテンツ再生処理（第３の実施の形態）］
次に、図１１のコンテンツ再生システム１６０におけるコンテンツ再生装置２６０および情報処理装置３６０，４６０が実行するコンテンツ再生処理について説明する。図１２は、図１１のコンテンツ再生システム１６０におけるコンテンツ再生装置２６０および情報処理装置３６０，４６０が実行するコンテンツ再生処理のシーケンス図である。なお、本処理では、コンテンツ再生装置２６０のペアレンタルロック機能は予め有効化されている。
【０１６１】
図１２において、まず、コンテンツ再生装置２６０は、例えば入力部２６６を介してコンテンツ再生装置２６０の管理者、例えば親により、視聴制限コンテンツの視聴制限の対象となるユーザ、例えば子供１が所有する情報処理装置３６０や、視聴制限コンテンツの視聴制限の対象となるユーザ、例えば子供２が所有する情報処理装置４６０の機器情報の登録を受け付ける（ステップＳ６０２）。
【０１６２】
次いで、コンテンツ再生装置２６０は、例えば入力部２６６を介してコンテンツ再生装置２６０の管理者、例えば親により、ステップＳ６０２で登録された情報処理装置３６０や情報処理装置４６０の機器情報に対して、任意のコンテンツの送信を可能とするための送信可設定や送信を不可能とするための送信不可設定を受け付ける（ステップＳ６０４）。例えば、図１３に示すように、コンテンツリスト５０２における「スハイターマン」は視聴制限５０４がかかった視聴制限コンテンツであるが、子供１（５１０）が所有する情報処理装置３６０に対しては送信可設定がされている。また、コンテンツリスト５０２における「タイハート」は視聴制限５０４がかかっていないが、親１（５０６）が所有する情報処理装置（図示しない）に対してのみ送信可設定がされている。また、コンテンツリスト５０２における「メンインホワイト」は視聴制限５０４がかかっていないが、親２（５０８）が所有する情報処理装置（図示しない）に対してのみ送信可設定がされている。また、コンテンツリスト５０２における「Ａ．Ｔ．」は視聴制限５０４がかかった視聴制限コンテンツであって、親１（５０６）が所有する情報処理装置（図示しない）に対してのみ送信可設定がされている。これらの設定は、任意のコンテンツの記録を予約する際に設定されてもよく、インターネットを介したコンテンツの購入時に設定されてもよい。また、これらの設定は、ユーザが手動で設定してもよく、コンテンツ再生装置２６０が自動的に設定してもよい。例えば、コンテンツ再生装置２６０が自動的に設定する場合としては、コンテンツの購入者に対して送信可設定を行う場合などである。また、例えば、ユーザが手動で設定する場合としては、視聴制限コンテンツであるが子供に視聴を許可する場合に子供に対して送信可設定を行う場合などである。
【０１６３】
次いで、情報処理装置３６０は、例えば入力部３６２を介してユーザによりコンテンツリストの表示が指示されると、コンテンツ再生装置２６０に通信部３６４を介して情報処理装置３６０の機器情報が付加された、コンテンツリストの要求を送信する（ステップＳ６０６）。
【０１６４】
次いで、コンテンツ再生装置２６０は、情報処理装置３６０から通信部２６８を介してコンテンツリストの要求を受信すると、確認部２７６は、受信したコンテンツリストの要求に付加されている機器情報の確認を行う（ステップＳ６０８）。
【０１６５】
次いで、コンテンツ再生装置２６０は、ステップＳ６０８において情報処理装置３６０の機器情報の確認を行い、生成部２７８は、再生可能なコンテンツのうち視聴制限コンテンツを除くとともに、ステップＳ６０４で情報処理装置３６０の機器情報に対して送信可設定がされた任意のコンテンツを含んだコンテンツリストの生成を行う（ステップＳ６１０）。
【０１６６】
次いで、コンテンツ再生装置２６０は、ステップＳ６１０で生成した、再生可能なコンテンツのうち視聴制限コンテンツを除くとともに、ステップＳ６０４で情報処理装置３６０の機器情報に対して送信可設定がされた任意のコンテンツを含んだコンテンツリストを通信部２６８を介して情報処理装置３６０に送信する（ステップＳ６１２）。
【０１６７】
次いで、情報処理装置３６０は、コンテンツ再生装置２６０から通信部３６４を介してコンテンツリストを受信すると、表示部３６８は、受信したコンテンツリストの表示を行う（ステップＳ６１４）。
【０１６８】
一方、情報処理装置４６０は、例えば入力部４６２を介してユーザによりコンテンツリストの表示が指示されると、コンテンツ再生装置２６０に通信部４６４を介して情報処理装置４６０の機器情報が付加された、コンテンツリストの要求を送信する（ステップＳ６１６）。
【０１６９】
次いで、コンテンツ再生装置２６０は、情報処理装置４６０から通信部２６８を介してコンテンツリストの要求を受信すると、確認部２７６は、受信したコンテンツリストの要求に付加されている機器情報の確認を行う（ステップＳ６１８）。
【０１７０】
次いで、コンテンツ再生装置２６０は、ステップＳ６１８において情報処理装置４６０の機器情報の確認を行い、生成部２７８は、再生可能なコンテンツのうち視聴制限コンテンツを除くとともに、ステップＳ６０４で情報処理装置４６０の機器情報に対して送信可設定がされた任意のコンテンツを含んだコンテンツリストの生成を行う（ステップＳ６２０）。
【０１７１】
次いで、コンテンツ再生装置２６０は、ステップＳ６２０で生成した、再生可能なコンテンツのうち視聴制限コンテンツを除くとともに、ステップＳ６０４で情報処理装置４６０の機器情報に対して送信可設定がされた任意のコンテンツを含んだコンテンツリストを通信部２６８を介して情報処理装置４６０に送信する（ステップＳ６２２）。
【０１７２】
次いで、情報処理装置４６０は、コンテンツ再生装置２６０から通信部４６４を介してコンテンツリストを受信すると、表示部４６８は、受信したコンテンツリストの表示を行う（ステップＳ６２４）。
【０１７３】
次いで、情報処理装置４６０は、例えば入力部４６２を介してユーザによりステップＳ６２４で表示されたコンテンツリスト内のコンテンツの再生が指示されると、コンテンツ再生装置２６０に通信部４６４を介して情報処理装置４６０の機器情報が付加された、再生が指示されたコンテンツの再生要求を送信する（ステップＳ６２６）。なお、ステップＳ６２６で送信される、再生が指示されたコンテンツの再生要求には当該コンテンツの識別情報が付加される。
【０１７４】
次いで、コンテンツ再生装置２６０は、情報処理装置４６０から通信部２６８を介して情報処理装置４６０の機器情報が付加された、再生が指示されたコンテンツの再生要求を受信すると、確認部２７６は、再生が指示されたコンテンツの再生要求に付加されている機器情報の確認を行う（ステップＳ６２８）。
【０１７５】
次いで、コンテンツ再生装置２６０は、ステップＳ６２８において情報処理装置４６０の機器情報の確認を行ったため、再生部２８０は、再生が指示されたコンテンツの再生を行い、出力部２７２は、再生部２８０により再生されたコンテンツを出力装置１６６に出力する（ステップＳ６３０）。
【０１７６】
図１２のコンテンツ再生処理によれば、視聴制限コンテンツの視聴制限の対象となるユーザ、例えば子供１，２が所有する情報処理装置３６０，４６０には、再生可能なコンテンツのうち視聴制限コンテンツを除くとともに、情報処理装置３６０，４６０の機器情報に対して送信可設定がされた任意のコンテンツを含んだコンテンツリストが表示される。また、視聴制限コンテンツの視聴制限の対象とならないユーザ、例えば親１，２が所有する情報処理装置（図示しない）には、再生可能なコンテンツのうち視聴制限コンテンツを含むとともに、情報処理装置（図示しない）の機器情報に対して送信可設定がされた任意のコンテンツを含み、送信不可設定がされた任意のコンテンツを除いたコンテンツリストが表示される。したがって、視聴制限コンテンツの視聴制限の対象とならないユーザ、例えば親１，２は、視聴制限コンテンツの再生を指示したい場合に、コンテンツ再生装置２６０のペアレンタルロック機能を無効化する必要がない。これにより、コンテンツ再生装置２６０のペアレンタルロック機能が有効化されている場合において、コンテンツの再生におけるユーザの操作性を向上させることができる。
【０１７７】
さらに、図１２のコンテンツ再生処理によれば、任意のコンテンツに対して送信可設定や送信不可設定をユーザ毎に設定することができるため、例えば、コンテンツ再生装置２６０の管理者により、高齢のユーザが例えば心臓に負担のかかる内容が含まれるコンテンツの再生を行えないようにすることができる。
【０１７８】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１７９】
この場合、記憶媒体から読み出されたプログラムコード自体が前述した各実施の形態の機能を実現することになり、そのプログラムコード及び該プログラムコードを記憶した記憶媒体は本発明を構成することになる。
【０１８０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１８１】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１８２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、拡張ボードや拡張ユニットに備わるＣＰＵ等が実際の処理の一部または全部を行い、その処理によって前述した各実施の形態の機能が実現される場合も含まれる。
【０１８３】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１８４】
例えば、本発明の第１の実施の形態、第２の実施の形態および第３の実施の形態は適宜組み合わせることも可能である。
【符号の説明】
【０１８５】
１００    コンテンツ再生システム
１０２    放送局
１０４    インターネット
１０６    出力装置
２００    コンテンツ再生装置
２０２    受信部
２０４、３１０，４１０    制御部
２０６，３０２，４０２    入力部
２０８，３０４，４０４    通信部
２１０，３０６，４０６    記憶部
２１２    出力部
２１４，３１２，４１２    バス
２１６    確認部
２１８    生成部
２２０    再生部
２４６    算出部
３００，４００    情報処理装置
３０８，４０８    表示部
【図１】
0005446924.tif 000002
【図２】
0005446924.tif 000003
【図３】
0005446924.tif 000004
【図４】
0005446924.tif 000005
【図５】
0005446924.tif 000006
【図６】
0005446924.tif 000007
【図７】
0005446924.tif 000008
【図８】
0005446924.tif 000009
【図９】
0005446924.tif 000010
【図１０】
0005446924.tif 000011
【図１１】
0005446924.tif 000012
【図１２】
0005446924.tif 000013
【図１３】
0005446924.tif 000014